(57)【要約】【課題】  ＩＰ網を介したファクシミリ通信、通話が可能となるファクシミリ装置を提供する。【解決手段】  ＰＳＴＮ回線あるいはＩＰ網を介して通信するためにＶｏＩＰゲートウェイ機能を有するＶｏＩＰゲートウェイ部１２を備えたファクシミリ装置。【選択図】        図１
2006222785.tif 000002
【特許請求の範囲】
【請求項１】
ＰＳＴＮ回線あるいはＩＰ網を介して通信するためにＶｏＩＰゲートウェイ機能を有するＶｏＩＰゲートウェイ部を備えたことを特徴とするファクシミリ装置。
【請求項２】
請求項１記載のファクシミリ装置において、前記ＶｏＩＰゲートウェイ部は、前記ＰＳＴＮ回線あるいはＩＰ網を介して通話を行うことを可能としたことを特徴とするファクシミリ装置。
【請求項３】
請求項２記載のファクシミリ装置において、前記ＶｏＩＰゲートウェイ部は、前記ＰＳＴＮ回線での通話とＩＰ網でのファクシミリ通信、あるいは、ＰＳＴＮ回線でのファクシミリ通信とＩＰ網での通話を同時に行うことを可能としたことを特徴とするファクシミリ装置。
【発明の詳細な説明】
【技術分野】
【０００１】
本発明は、ファクシミリ装置に関し、特に、ＩＰ網接続方式に特徴のあるファクシミリ装置に関する。
【背景技術】
【０００２】
ファクシミリ装置は、システム全体の制御を行うシステム制御部、システム制御に必要な情報や、相手先電話番号に対応したＩＰアドレス等の情報を記憶するシステムメモリ部、画情報を記憶する画像メモリ部、画情報の符号化および復号化を行う符号化・復号化部、記録を行う記録部、原稿の読み取りを行う読み取り部、ＬＣＤ、テンキー、ファンクションキー、短縮ダイヤルキー等を備える操作部、システム制御部とのハンドシェイクを行いモデム部、ＮＣＵ部等の制御を行うＩ／Ｏ制御部、プロトコル信号や画情報をＶ．２１、Ｖ．８、Ｖ．１７、Ｖ．３４、Ｖ．２３等の規格に従って変復調し、ＤＴＭＦの発信、トーン検出、音声メッセージの送出を行うモデム部、回線とのインタフェースでありオフフック検出、極性反転検出、ダイヤルパルス送出等を行い電話機を接続するＮＣＵ部を備える。
【発明の開示】
【発明が解決しようとする課題】
【０００３】
上記のファクシミリ装置において、従来はＶｏＩＰゲートウェイを接続しないとＩＰ網を介してのファクシミリ通信はできなかった。また、従来はＶｏＩＰゲートウェイを接続しないとＩＰ網を介しての通話はできなかった。
本発明は、ＩＰ網を介したファクシミリ通信、通話が可能となるファクシミリ装置を提供することを目的とする。
【課題を解決するための手段】
【０００４】
上記目的を達成するために、請求項１記載の発明は、ＰＳＴＮ回線あるいはＩＰ網を介して通信するためにＶｏＩＰゲートウェイ機能を有するＶｏＩＰゲートウェイ部を備えたファクシミリ装置を最も主要な特徴とする。
請求項２記載の発明は、請求項１記載のファクシミリ装置において、前記ＶｏＩＰゲートウェイ部は、前記ＰＳＴＮ回線あるいはＩＰ網を介して通話を行うことを可能としたことを特徴とする。
請求項３記載の発明は、請求項２記載のファクシミリ装置において、前記ＶｏＩＰゲートウェイ部は、前記ＰＳＴＮ回線での通話とＩＰ網でのファクシミリ通信、あるいは、ＰＳＴＮ回線でのファクシミリ通信とＩＰ網での通話を同時に行うことを可能としたことを特徴とする。
【発明の効果】
【０００５】
本発明によれば、ＶｏＩＰゲートウェイ機能を有しているのでＩＰ網を介したファクシミリ通信が可能となる。また、ＩＰ網を介した通話が可能となる。また、ＰＳＴＮ回線での通話とＩＰ網でのファクシミリ通信、あるいは、ＰＳＴＮ回線でのファクシミリ通信とＩＰ網での通話が同時に可能となる。
【発明を実施するための最良の形態】
【０００６】
以下、図面を参照して、本発明の実施形態を詳細に説明する。
図１は本発明の実施の形態に係るファクシミリ装置の全体ブロック図である。本ファクシミリ装置は、システム全体の制御を行うシステム制御部１、システム制御に必要な情報や、相手先電話番号に対応したＩＰアドレス等の情報を記憶するシステムメモリ部２、画情報を記憶する画像メモリ部３、画情報の符号化および復号化を行う符号化・復号化部４を備える。
また同様に本ファクシミリ装置は、記録を行う記録部５、原稿の読み取りを行う読み取り部６、ＬＣＤ、テンキー、ファンクションキー、短縮ダイヤルキー等を備える操作部７、システム制御部１とのハンドシェイクを行いモデム部、ＮＣＵ部等の制御を行うＩ／Ｏ制御部８、プロトコル信号や画情報をＶ．２１、Ｖ．８、Ｖ．１７、Ｖ．３４、Ｖ．２３等の規格に従って変復調し、ＤＴＭＦの発信、トーン検出、音声メッセージの送出を行うモデム部９を備える。
また同様に本ファクシミリ装置は、アナログ信号の経路でアナログ信号をＮＣＵ部とＶｏＩＰゲートウェイ部に切り換える通信アナログ部１０、回線とのインタフェースでありオフフック検出、極性反転検出、ダイヤルパルス送出等を行い電話機を接続するＮＣＵ部１１、Ａ／Ｄ変換、Ｄ／Ａ変換、コード化／デコード化、ＩＰパケット処理、シグナリングプロトコル処理を行い、ＩＰ網とのインタフェースを行うＶｏＩＰゲートウェイ部１２を備える。なお、本ＶｏＩＰゲートウェイ部１２ではファクシミリ通信の場合はＴ．３８ＦＡＸ通信機能を使用し、音声圧縮用コーデックは使用しないものとする。
【実施例１】
【０００７】
図２は本発明のファクシミリ装置における実施例１の動作を説明するための要部ブロック図である。待機状態においては、通信アナログ部１０、ＮＣＵ部１１のＳＷ１〜ＳＷ５は図２の状態になっている。
ＰＳＴＮ回線を介して通話を行うためには、ＳＷは図２の状態のままで電話機２０を使用する。即ち、ＮＣＵ部１１内の回線電流検出部１１ａを介して信号のやり取りができるようにする。
ＰＳＴＮ回線を介してファクシミリ通信を行うためには、ＳＷ１、ＳＷ２、ＳＷ３を切り換え、モデム部９とＰＳＴＮ回線が、ＮＣＵ部１１のライントランス部１１ｂ、通信アナログ部１０の２線−４線変換部１０ａを介して信号のやり取りができるようにする。
ＩＰ網を介してファクシミリ通信を行うためには、ＳＷ４、ＳＷ５を切り換えモデム部９がＶｏＩＰゲートウェイ部１２と信号のやり取りができるようにする。なお、ＩＰ網を介してのファクシミリ通信中でもＰＳＴＮ回線を介しての通話は可能である。
【実施例２】
【０００８】
図３は本発明のファクシミリ装置における実施例２の動作を説明するための要部ブロック図である。待機状態においては、通信アナログ部１０、ＮＣＵ部１１のＳＷ１〜ＳＷ５は図３の状態になっている。
ＰＳＴＮ回線を介してのファクシミリ通信、通話、ＩＰ網を介してのファクシミリ通信については実施例１に同じである。
ＩＰ網を介しての通話を行うためには、ＳＷ２、ＳＷ３、ＳＷ５を切り換える。ＳＷ３を切り換えることによって、ＮＣＵ部１１の直流供給部１１ｃから電話機２０に直流が供給され電話を機能させることが可能となる。
さらにＳＷ２、ＳＷ５を切り換えることによって電話機２０がＮＣＵ部１１のハイインピーダンストランス部１１ｄ、通信アナログ部１０の２線−４線変換部１０ｂを介してＶｏＩＰゲートウェイ部１２と信号のやり取りができるようにする。
【実施例３】
【０００９】
図４は本発明のファクシミリ装置における実施例３の動作を説明するための要部ブロック図である。待機状態においては、通信アナログ部１０、ＮＣＵ部１１のＳＷ１〜ＳＷ６は図４の状態になっている。
ＰＳＴＮ回線を介して通話を行うためには、ＳＷは図４の状態のままで電話機２０を使用する。このとき同時にＩＰ網を介してファクシミリ通信を行うためにはＳＷ４、ＳＷ５を切り換える。
ＰＳＴＮ回線を介してファクシミリ通信を行うためには、ＳＷ１、ＳＷ２、ＳＷ３を切り換え、モデム部９とＰＳＴＮ回線が、ＮＣＵ部１１のライントランス部１１ｂ、通信アナログ部１０の２線−４線変換部１０ａを介して信号のやり取りができるようにする。このとき同時にＩＰ網を介して通話を行うためにはＳＷ５、ＳＷ６を切り換える。
ＩＰ網を介してファクシミリ通信を行うためには、ＳＷ４、ＳＷ５を切り換え、モデム部９がＶｏＩＰゲートウェイ部１２と信号のやり取りができるようにする。このとき同時にＰＳＴＮ回線を介して通話を行うためには、そのまま電話機２０を使用する。
ＩＰ網を介しての通話を行うためには、ＳＷ２、ＳＷ３、ＳＷ５、ＳＷ６を切り換える。ＳＷ３を切り換えることによって、ＮＣＵ部１１の直流供給部１１ｃから電話機２０に直流が供給され電話を機能させることが可能となる。
さらにＳＷ２、ＳＷ５、ＳＷ６を切り換えることによって、電話機２０がＮＣＵ部１１のハイインピーダンストランス部１１ｄ、通信アナログ部１０の２線−４線変換部１０ｂを介してＶｏＩＰゲートウェイ部１２と信号のやり取りができるようにする。
このとき同時にＰＳＴＮ回線を介してファクシミリ通信を行うためには、さらにＳＷ１を切り換え、モデム部９とＰＳＴＮ回線がＮＣＵ部１１のライントランス部１１ｂ、通信アナログ部１０の２線−４線変換部１０ａを介して信号のやり取りができるようにする。
【図面の簡単な説明】
【００１０】
【図１】本発明の実施の形態に係るファクシミリ装置の全体ブロック図。
【図２】本発明のファクシミリ装置における実施例１の動作を説明するための要部ブロック図。
【図３】本発明のファクシミリ装置における実施例２の動作を説明するための要部ブロック図。
【図４】本発明のファクシミリ装置における実施例３の動作を説明するための要部ブロック図。
【符号の説明】
【００１１】
１２  ＶｏＩＰゲートウェイ部
【図１】
2006222785.tif 000003
【図２】
2006222785.tif 000004
【図３】
2006222785.tif 000005
【図４】
2006222785.tif 000006